(57)【要約】【課題】施工が簡単で、間仕切りを変更した場合に釘やビスの疵痕が残ることがなく、隙間寸法のバラツキにも容易に対応し得る遮蔽装置を備えた間仕切り用収納家具を提供する。【解決手段】外側方に開口する凹溝状のガイド溝２４を備え、かつ筐体状家具本体２の側板３ａに固着される上下方向の固定遮蔽部材２２と、該固定遮蔽部材２２のガイド溝２４に側方向に進退可能に嵌挿され、かつ筐体状家具本体２の側板３ａに臨む複数の雌螺子孔３４を備えた上下方向の可動遮蔽部材２３と、筐体状家具本体２の側板３ａに回転可能に保持されて前記ガイド溝２４内に挿通され、その先端が前記可動遮蔽部材２３の雌螺子孔３４に夫々螺合される複数の螺子杆２７とによって、筐体状家具本体２の側面に配設される遮蔽装置２１を構成し、螺子杆２７の回転操作による螺進作用を介して可動遮蔽部材２３を固定遮蔽部材２２に対して進退調整可能とした。【選択図】    図９
2004290264.tif 000002
【特許請求の範囲】
【請求項１】
前面に開閉扉を備え、内部空隙を収納部とした筐体状家具本体の、室内壁面に対向する側面に、該室内壁面との隙間を遮蔽する進退調整可能な遮蔽装置を備えた間仕切り用収納家具であって、
前記遮蔽装置が、外側方に開口する凹溝状のガイド溝を備え、かつ筐体状家具本体の側板に固着される上下方向の固定遮蔽部材と、該固定遮蔽部材のガイド溝に側方向に進退可能に嵌挿され、かつ筐体状家具本体の側板に臨む複数の雌螺子孔を備えた上下方向の可動遮蔽部材と、筐体状家具本体の側板に回転可能に保持されて前記ガイド溝内に挿通され、その先端が前記可動遮蔽部材の雌螺子孔に夫々螺合される複数の螺子杆とからなり、該螺子杆の回転操作による螺進作用を介して可動遮蔽部材が固定遮蔽部材に対して進退調整可能に設けられていることを特徴とする間仕切り用収納家具。
【請求項２】
筐体状家具本体の側板に、螺子杆を筐体状家具本体の収納部側から回転操作可能な操作用貫通孔が形成されていることを特徴とする請求項１記載の間仕切り用収納家具。
【請求項３】
一方の側面に遮蔽装置を備え、他方の側面に上下方向の目地遮蔽杆を備えてなる筐体状家具本体を左右一対に用いて、相互に前後の向きを反転させた状態で、目地遮蔽杆を備えた側面相互を、該目地遮蔽杆を介して当接させることにより両筐体状家具本体を一連とすることを特徴とする請求項１又は請求項２記載の間仕切り用収納家具。
【発明の詳細な説明】
【０００１】
【発明の属する技術分野】
本発明は、間仕切り用収納家具に関し、さらに詳しくは室内壁面（建築躯体の室内側の壁面）との間に生ずる隙間を遮蔽し得る進退調整可能な遮蔽装置を側面に備えた間仕切り用収納家具に関する。
【０００２】
【従来の技術】
住宅，事務所等の室内に設置される間仕切りにあって、内部空隙を収納部とする筐体状家具本体を用いて室内を仕切る、移動可能な間仕切り用収納家具が知られている。
【０００３】
かかる間仕切り用収納家具は、複数の筐体状家具本体を一連にして室内を仕切るように設置されるが、その設置及び移動を容易とするために、一連とした複数の筐体状家具本体の全体幅が、両側の室内壁面の間隔よりも若干狭くなるように形成されている。このため、設置状態においては、室内壁面と、該室内壁面に対向する筐体状家具本体の側板との間に若干の隙間が必然的に生じることとなる。
【０００４】
従来、上記のような筐体状家具本体の側板と室内壁面との間に生じる隙間の遮蔽は、該隙間部分に宛った化粧ベニヤ板を釘やビス等の止め具で止着する遮蔽手段が一般的に適用されていた。また、先行技術としては、筐体状家具本体の側板に上下方向に保持部材を固定し、筐体状家具本体の側板と室内壁面との間に挟装される弾性体からなる隙間遮蔽材の基部を、前記保持部材に着脱可能に嵌挿するようにしたもの（例えば、特許文献１参照）も提案されている。
【０００５】
【特許文献１】
特開２００２−２０４７３０号公報（図９，図１１）
【０００６】
【発明が解決しようとする課題】
ところで、従来の化粧ベニヤ板を用いて隙間を遮蔽する手段にあっては、精巧な大工仕事となるため熟練した職人技を必要とする上、施工が面倒であり、さらに、間仕切りを変更するに際して、化粧ベニヤ板を取り外すと、釘やビスの疵痕が残るという問題点があった。また、特許文献１のものにあっては、筐体状家具本体の側板と室内壁面との隙間の前方から隙間遮蔽材を押し込むようにして、その基部を、前面から若干奥まった位置に配設された保持部材に対して嵌挿（圧入）させなければならないため、取付作業が困難であり、さらに、隙間遮蔽材の横幅が一定であるため、隙間寸法のバラツキに応じて横幅を調整できないという問題点があった。
【０００７】
本発明は、施工が簡単で、間仕切りを変更した場合に釘やビスの疵痕が残ることもなく、隙間寸法のバラツキにも容易に対応し得る遮蔽装置を備えた間仕切り用収納家具を提供することを目的とするものである。
【０００８】
【課題を解決するための手段】
本発明は、前面に開閉扉を備え、内部空隙を収納部とした筐体状家具本体の、室内壁面に対向する側面に、該室内壁面との隙間を遮蔽する進退調整可能な遮蔽装置を備えた間仕切り用収納家具であって、前記遮蔽装置が、外側方に開口する凹溝状のガイド溝を備え、かつ筐体状家具本体の側板に固着される上下方向の固定遮蔽部材と、該固定遮蔽部材のガイド溝に側方向に進退可能に嵌挿され、かつ筐体状家具本体の側板に臨む複数の雌螺子孔を備えた上下方向の可動遮蔽部材と、筐体状家具本体の側板に回転可能に保持されて前記ガイド溝内に挿通され、その先端が前記可動遮蔽部材の雌螺子孔に夫々螺合される複数の螺子杆とからなり、該螺子杆の回転操作による螺進作用を介して可動遮蔽部材が固定遮蔽部材に対して進退調整可能に設けられていることを特徴とする間仕切り用収納家具である。
【０００９】
ここで、上記固定遮蔽部材と可動遮蔽部材は、筐体状家具本体の高さ寸法と略同じ長さに形成され得る。
【００１０】
かかる構成にあって、螺子杆を回転操作すると、該螺子杆と螺合する雌螺子孔を備えた可動遮蔽部材が、その螺進作用を介して固定遮蔽部材のガイド溝内を側方向に沿って進退する。従って、螺子杆の所定方向の回転操作によって可動遮蔽部材を進出させてその先端縁を室内壁面に当接させることにより、筐体状家具本体の側板と室内壁面との間に生じている隙間を簡単に遮蔽することができる。また、間仕切りの変更に際して、螺子杆を上記とは逆方向に回転操作すれば、可動遮蔽部材を後退させることができる。これにより、螺子杆に対する直接的な正逆何れかの方向の回転操作により、可動遮蔽部材を簡単に進出または後退させることができるとともに、進出量を調整することにより隙間寸法のバラツキにも容易に対応することができる。また、間仕切りを変更した場合に、従来のように釘やビスの疵痕が残ることがない。
【００１１】
また、前記筐体状家具本体の側板に、螺子杆を筐体状家具本体の収納部側から回転操作可能な操作用貫通孔を形成する構成が提案される。かかる構成にあっては、筐体状家具本体の前面の開閉扉を開放した状態で、内部の収納部側からドライバー等の工具を操作用貫通孔に差し入れて直接、螺子杆を回転操作し得るので、楽な姿勢でその回転操作を極めて容易に行うことができ、室内壁面を工具で傷付けるようなこともない。
【００１２】
さらに、一方の側面に遮蔽装置を備え、他方の側面に上下方向の目地遮蔽杆を備えてなる筐体状家具本体を左右一対に用いて、相互に前後の向きを反転させた状態で、目地遮蔽杆を備えた側面相互を、該目地遮蔽杆を介して当接させることにより両筐体状家具本体を一連とする構成が提案される。ここで、前記目地遮蔽杆は、二つの筐体状家具本体の前後の向きを反転させた状態において、目地遮蔽杆相互が当接しない位置に設けられる。かかる構成にあっては、左右の筐体状家具本体を同じ形状とし得るので、左右別々に筐体状家具本体を製作する場合に比してその製作が容易であり、また、両筐体状家具本体の前後の向きを相互に反転させた状態で、目地遮蔽杆を備えた側面相互を、該目地遮蔽杆を介して当接させると、夫々の目地遮蔽杆が、前後方向で互い違いに重なり合う状態となることにより、左右の筐体状家具本体の隣接する側面相互間に生じる隙間を簡単に遮蔽することができる。
【００１３】
【発明の実施の形態】
以下に、本発明にかかる間仕切り用収納家具の一実施例を、添付図面に基づいて説明する。
間仕切り用収納家具１を構成する筐体状家具本体２は、図１〜図３に示すように、左右両側の側板３ａ，３ｂと、上部の天板４と、下部の底板５と、後部の背板６によって囲繞された矩形筐体からなり、その内部空隙を収納部７とするとともに、前面には開閉扉８が配設されている。該開閉扉８は平面視において夫々二つ折り可能な左右の扉板９，９からなり、該扉板９，９の外側端が支軸１０，１０（図３参照）により枢支されて夫々開閉可能となっている。また、前記収納部７内には、左右の側板３ａ，３ｂ間に棚板１１（図２参照）とハンガーパイプ１２が横架されており、これによって洋服タンスとして使用できるようになっている。尚、収納部７の内部構造は自由に設定可能であり、本実施例に限定されるものではない。
【００１４】
また、前記底板５の下部に設けられた台枠１３内の四隅位置には、図４（イ），（ロ）に示すように、夫々アジャスター１４とキャスター１５が一対で配設されている。各アジャスター１４とキャスター１５は、図５に示すように、台枠１３の各隅部に固設された支持基板１６の下面に取り付けられており、キャスター１５はその車輪の接地部が台枠１３の下端面より若干下方に突出する状態となっている。一方、アジャスター１４は断面コ字形の保持金具１７と、該保持金具１７に螺合された上下方向の螺子脚杆１８とからなり、該螺子脚杆１８の上部は前記支持基板１６と底板５に一連に貫設された操作孔１９に挿通されている。そして、底板５上の収納部７から該操作孔１９に差し入れたドライバー等の工具によって螺子脚杆１８を回転させることにより、その螺進作用で該螺子脚杆１８を昇降させるようにしている。これにより、螺子脚杆１８の回転操作を介してその接地端２０をキャスター１５の車輪の接地部よりも上方に引き上げることにより、該キャスター１５によって筐体状家具本体２を移動可能とし、逆に螺子脚杆１８の回転操作を介して接地端２０をキャスター１５の車輪の接地部よりも下方に突出させることにより、キャスター１５を床面から浮上させて筐体状家具本体２を移動不能に支持するようになっている。また、該アジャスター１４は、床面の凹凸に応じて螺子脚杆１８を進退調整することにより、筐体状家具本体２を水平に保持する機能も備えている。
【００１５】
次に、本発明の要部について説明する。
筐体状家具本体２は、その側面に、室内壁面３５（図９参照）との間に生じる隙間ｓを遮蔽する遮蔽装置２１を備えている。この実施例では、図１〜図３に示すように、筐体状家具本体２の右側面に遮蔽装置２１，２１が前後一対で配設されており、筐体状家具本体２の左側面には後述する目地遮蔽杆３６ａ，３６ｂが前後一対で配設されている。
【００１６】
前記各遮蔽装置２１は、固定遮蔽部材２２と、該固定遮蔽部材２２に対して進退可能に設けられた可動遮蔽部材２３と、該可動遮蔽部材２３を進退させるための複数の螺子杆２７とからなる。固定遮蔽部材２２は、図６（イ），（ロ）、及び（ハ），（二）に拡大して示すように、凹溝状のガイド溝２４を備え、筐体状家具本体２の高さ寸法と略同じ長さに形成された断面コ字状の棒状部材であり、右側の側板３ａの外表面で、筐体状家具本体２の前部寄り位置及び後部寄り位置に、前記凹溝状のガイド溝２４を外側方に開口させた状態で上下方向に沿って固着されている。また、該固定遮蔽部材２２には、図６（ロ），（ニ）に示すように、ガイド溝２４の内底壁２５に、該内底壁を略矩形状に切欠した複数の連通口２６が形成されており、各連通口２６部分には、図１０（ロ）等に示すように、側板３ａに回転可能に保持される螺子杆２７を備えた保持金具２８が夫々配設されている。
【００１７】
各保持金具２８は、図７（イ），（ロ）に示すように、スペーサ２９，２９を介して所定間隔で対設された左右一対のプレート３０ａ，３０ｂと、該プレート３０ａ，３０ｂ間に頭部を配置して螺子部を外部側のプレート３０ａから側方に突出させたビスからなる螺子杆２７とによって構成されている。そして、各保持金具２８は、図１０（ロ）等に示すように、前記連通口２６に対応する側板３ａの外表面部分に形成された凹溝内に、側板３ａの外表面と面一となるように埋設した状態でビス３１，３１によって側板３ａに固定されており、これによって螺子杆２７が前記固定遮蔽部材２２のガイド溝２４内に挿通されている。また、各保持金具２８の内部側のプレート３０ｂと側板３ａには、螺子杆２７の頭部に対応する位置に操作用貫通孔３２が夫々形成されており、筐体状家具本体２の収納部７側から該操作用貫通孔３２に差し入れられるドライバー等の工具によって螺子杆２７を回転させ得るようになっている。
【００１８】
また、前記可動遮蔽部材２３は、図８（イ），（ロ）、及び（ハ），（ニ）に拡大して示すように、筐体状家具本体２の高さ寸法と略同じ長さに形成された断面矩形の棒状部材であり、図９，図１０に示すように、前記固定遮蔽部材２２のガイド溝２４に側方向に進退可能に嵌挿されている。該可動遮蔽部材２３の内端面には、上述した固定遮蔽部材２２の各連通口２６に夫々遊嵌可能な位置に略矩形状の凸部からなる複数の厚肉部３３が形成されており、図８（イ），（ニ）に示すように、各厚肉部３３には前記螺子杆２７と螺合可能な雌螺子孔３４が側板３ａに臨ませて形成されている。そして、各雌螺子孔３４に前記螺子杆２７を螺合させることによって、可動遮蔽部材２３が固定遮蔽部材２２のガイド溝２４内に保持されており、また、該螺子杆２７の回転操作による螺進作用を介して可動遮蔽部材２３が固定遮蔽部材２２に対して進退調整可能に設けられている。ここで、図９（イ），図１０（イ）は、螺子杆２７の所定方向の回転操作を介して可動遮蔽部材２３を後退させた状態を示し、図９（ロ），図１０（ロ）は、上記とは逆方向の螺子杆２７の回転操作を介して可動遮蔽部材２３を進出させた状態を示す。このように、可動遮蔽部材２３を進出させてその先端縁を室内壁面３５に当接させることにより、該室内壁面３５との間に生じている隙間ｓが簡単に遮蔽されることとなる。
【００１９】
一方、筐体状家具本体２の左側面に配設される目地遮蔽杆３６ａ，３６ｂは、図１１（イ），（ロ）、及び（ハ）に拡大して示すように、筐体状家具本体２の高さ寸法と略同じ長さに形成された断面矩形の棒状部材であり、該目地遮蔽杆３６ａ，３６ｂは、左側の側板３ｂの外表面で、筐体状家具本体２の前部寄り位置及び後部寄り位置に、上下方向に沿って固着されている。ここで、該目地遮蔽杆３６ａ，３６ｂは、図１２、及び図１３に拡大して示すように、二つの筐体状家具本体２，２の前後の向きを反転させて側板３ｂ，３ｂを対向させた状態において、各筐体状家具本体２の目地遮蔽杆３６ａ，３６ｂ相互が当接しないように位置をずらして配設されている。
【００２０】
図１２に、本発明にかかる間仕切り用収納家具１の設置例を示す。この設置例は、上述した筐体状家具本体２を左右一対に用いて、相互に前後の向きを反転させた状態で、目地遮蔽杆３６ａ，３６ｂを夫々備えた側面３ｂ，３ｂ相互を、該目地遮蔽杆３６ａ，３６ｂを介して当接させて、両筐体状家具本体２，２を一連とすることにより、一室を二つの部屋３７ａ，３７ｂに仕切った場合を示す。左右一対で用いられる筐体状家具本体２，２は、設置場所毎に受注生産品として製作されるが、その設置及び移動を容易とするために、一連となる二つの筐体状家具本体２，２の全体幅Ｗ１  が、両側の室内壁面３５，３５の間隔Ｗ２  よりも若干狭くなるように設定されている。このため、設置状態においては、室内壁面３５との間に若干の隙間ｓ（図９参照）が生じるが、勿論、この隙間ｓは可動遮蔽部材２３の可動範囲内に収められている。そして、上記のように目地遮蔽杆３６ａ，３６ｂを夫々備えた側面３ｂ，３ｂ相互を、該目地遮蔽杆３６ａ，３６ｂを介して当接させて、左右の筐体状家具本体２，２を一連とすると、各筐体状家具本体２，２の夫々の目地遮蔽杆３６ａ，３６ｂが、前後方向で互い違いに重なり合う状態となることにより、左右の筐体状家具本体２，２の隣接する側面３ｂ，３ｂ相互間に生じる隙間を簡単に遮蔽することができる。一方、室内壁面３５との間に生じている隙間ｓは、各筐体状家具本体２の開閉扉８を開放した状態で、内部の収納部７側からドライバー等の工具を操作用貫通孔３２に差し入れて、各螺子杆２７を所定方向に回転操作し、図９（ロ），図１０（ロ）に示すように、先端縁が室内壁面３５に当接するまで可動遮蔽部材２３を進出させることにより、前記隙間ｓを簡単に遮蔽することができる。また、間仕切りの変更に際して、螺子杆２７を上記とは逆方向に回転操作すれば、図９（イ），図１０（イ）に示すように、可動遮蔽部材２３を後退させることができる。
【００２１】
このように、本発明にあっては、螺子杆２７に対する直接的な正逆何れかの方向の回転操作により、可動遮蔽部材２３を簡単に進出または後退させることができるとともに、進出量を調整することにより隙間寸法のバラツキにも容易に対応することができる。また、間仕切りを変更した場合に、従来のように釘やビスの疵痕が残ることがない。さらに、筐体状家具本体２の側板３ａに、螺子杆２７を筐体状家具本体２の収納部７側から回転操作可能な操作用貫通孔３２が形成されていることにより、前面の開閉扉８を開放した状態で、内部の収納部７側からドライバー等の工具を操作用貫通孔３２に差し入れて直接、螺子杆２７を回転操作し得るので、楽な姿勢で極めて容易にその回転操作を行うことができ、さらに螺子杆２７の回転操作時に室内壁面３５を工具で傷付けるような不具合も確実に防止することができる。
【００２２】
尚、上記実施例では、筐体状家具本体２の右側面に遮蔽装置２１，２１を前後一対で配設し、筐体状家具本体２の左側面に目地遮蔽杆３６ａ，３６ｂを前後一対で配設しているが、該遮蔽装置２１，２１及び目地遮蔽杆３６ａ，３６ｂはその配置関係を逆にしてもよい。また、該遮蔽装置２１，２１及び目地遮蔽杆３６ａ，３６ｂを夫々前後一対で配設した場合について説明したが、該遮蔽装置２１，２１及び目地遮蔽杆３６ａ，３６ｂは単一で配設したり、三つ以上の複数とすることも可能である。さらに、上記実施例では、二つの筐体状家具本体２，２を、相互に前後の向きを反転させた状態で一連とする設置例を示したが、二つの筐体状家具本体２，２は、必ずしも相互に前後の向きを反転させる必要はなく、同じ向きで一連とすることもできる。但し、この場合には、隣接することとなる遮蔽装置２１，２１と目地遮蔽杆３６ａ，３６ｂとが相互に当接しないように取付位置をずらす必要がある。
【００２３】
【発明の効果】
本発明は、上述したように、筐体状家具本体の側面に、室内壁面との隙間を遮蔽する進退調整可能な遮蔽装置を備えた間仕切り用収納家具にあって、前記遮蔽装置を、外側方に開口する凹溝状のガイド溝を備え、かつ筐体状家具本体の側板に固着される上下方向の固定遮蔽部材と、該固定遮蔽部材のガイド溝に側方向に進退可能に嵌挿され、かつ筐体状家具本体の側板に臨む複数の雌螺子孔を備えた上下方向の可動遮蔽部材と、筐体状家具本体の側板に回転可能に保持されて前記ガイド溝内に挿通され、その先端が前記可動遮蔽部材の雌螺子孔に夫々螺合される複数の螺子杆とで構成し、該螺子杆の回転操作による螺進作用を介して可動遮蔽部材を固定遮蔽部材に対して進退調整可能としたから、螺子杆の所定方向の回転操作によって可動遮蔽部材を進出させてその先端縁を室内壁面に当接させることにより、筐体状家具本体の側板と室内壁面との間に生じている隙間を簡単に遮蔽することができる。また、間仕切りの変更に際して、螺子杆を上記とは逆方向に回転操作すれば、可動遮蔽部材を後退させることができる。これにより、螺子杆に対する直接的な正逆何れかの方向の回転操作により、可動遮蔽部材を簡単に進出または後退させることができるとともに、進出量を調整することにより隙間寸法のバラツキにも容易に対応することができる。また、間仕切りを変更した場合に、従来のように釘やビスの疵痕が残ることがない。
【００２４】
また、前記筐体状家具本体の側板に、螺子杆を筐体状家具本体の収納部側から回転操作可能な操作用貫通孔を形成したから、筐体状家具本体の前面の開閉扉を開放した状態で、内部の収納部側からドライバー等の工具を操作用貫通孔に差し入れて直接、螺子杆を回転操作し得るので、楽な姿勢でその回転操作を極めて容易に行うことができ、室内壁面を工具で傷付けるようなこともない。
【００２５】
さらに、一方の側面に遮蔽装置を備え、他方の側面に上下方向の目地遮蔽杆を備えてなる筐体状家具本体を左右一対に用いて、相互に前後の向きを反転させた状態で、目地遮蔽杆を備えた側面相互を、該目地遮蔽杆を介して当接させることにより両筐体状家具本体を一連とする構成にあっては、左右の筐体状家具本体を同じ形状とし得るので、左右別々に筐体状家具本体を製作する場合に比してその製作が容易であり、また、両筐体状家具本体の前後の向きを相互に反転させた状態で、目地遮蔽杆を備えた側面相互を、該目地遮蔽杆を介して当接させると、夫々の目地遮蔽杆が、前後方向で互い違いに重なり合う状態となることにより、左右の筐体状家具本体の隣接する側面相互間に生じる隙間を簡単に遮蔽することができる。
【図面の簡単な説明】
【図１】本発明にかかる間仕切り用収納家具１の正面図である。
【図２】同上の間仕切り用収納家具１の右側面図である。
【図３】同上の間仕切り用収納家具１の平面図である。
【図４】（イ）は台枠１３を備えた底板５の分離平面図、（ロ）はその側面図である。
【図５】アジャスター１４とキャスター１５の取付構造を示す部分拡大断面図である。
【図６】固定遮蔽部材２２を示し、（イ）は正面図、（ロ）は右側面図、（ハ）はＡ−Ａ線拡大断面図、（ニ）はＢ−Ｂ線拡大断面図である。
【図７】螺子杆２７を備えた保持金具２８を示し、（イ）は縦断面図、（ロ）は背面図である。
【図８】可動遮蔽部材２３を示し、（イ）は正面図、（ロ）は左側面図、（ハ）はＣ−Ｃ線拡大断面図、（ニ）はＤ−Ｄ線拡大断面図である。
【図９】遮蔽装置２１の作用を示し、（イ）は可動遮蔽部材２３の後退状態の横断面図、（ロ）は可動遮蔽部材２３の進出状態の横断面図である。
【図１０】遮蔽装置２１の作用を示し、（イ）は可動遮蔽部材２３の後退状態の縦断面図、（ロ）は可動遮蔽部材２３の進出状態の縦断面図である。
【図１１】目地遮蔽杆３６ａ（３６ｂ）を示し、（イ）は正面図、（ロ）は左側面図、（ハ）は拡大横断面図である。
【図１２】間仕切り用収納家具１の設置例を示す説明図である。
【図１３】目地遮蔽杆３６ａ，３６ｂを夫々備えた側面３ｂ，３ｂ相互を、該目地遮蔽杆３６ａ，３６ｂを介して当接させた状態を示す筐体状家具本体２，２の部分拡大図である。
【符号の説明】
１  間仕切り用収納家具
２  筐体状家具本体
３ａ，３ｂ  側板
８  開閉扉
７  収納部
２１  遮蔽装置
２２  固定遮蔽部材
２３  可動遮蔽部材
２４  ガイド溝
２７  螺子杆
３２  操作用貫通孔
３４  雌螺子孔
３５  室内壁面
３６ａ，３６ｂ  目地遮蔽杆
ｓ  隙間
【図１】
2004290264.tif 000003
【図２】
2004290264.tif 000004
【図３】
2004290264.tif 000005
【図４】
2004290264.tif 000006
【図５】
2004290264.tif 000007
【図６】
2004290264.tif 000008
【図７】
2004290264.tif 000009
【図８】
2004290264.tif 000010
【図９】
2004290264.tif 000011
【図１０】
2004290264.tif 000012
【図１１】
2004290264.tif 000013
【図１２】
2004290264.tif 000014
【図１３】
2004290264.tif 000015